(57)【要約】      （修正有）【課題】車輌の盗難を低コストで実現出来る盗難防止装置を提供する。【解決手段】車輌内（エンジンルーム）にオン／オフスイッチ２と無線受信マグネットオン／オフスイッチ３等の電源遮断装置を設け、車輌外部より無線オン／オフ発信機５を作動させ、バッテリー１と本体ボデーアース間、又はバッテリー１とセルスターターモーター間の電源を遮断して車輌の盗難を防止するものである。【選択図】図２
0003164292.tif 000002
【実用新案登録請求の範囲】
【請求項１】
0003164292.tif 000008
で表せば、バッテリーとセルスターターモーター間に無線信号を出力とする電源遮断装置を設け駆動状態と非駆動状態を切り替える無線信号と出力装置を備えた事を特徴とする車輌盗難防止装置。
【考案の詳細な説明】
【技術分野】
【０００１】本考案はオン／オフスイッチ及び無線マグネットスイッチを設け作動させ全ての電力の供給を遮断して車輌の盗難防止に関するものである。
【背景技術】
【０００２】車輌はバッテリーによりセルスターターモーター及びエンジンを始動させ運行を可能にしている。
【考案の概要】
【考案が解決しようとする課題】
【０００３】車輌の盗難を低コストで実現出来るこの盗難防止装置によって防止しようとするものでありこれを提供する。
【課題を解決するための手段】
【０００４】本考案の車輌盗難防止装置はセルスターターモーター及びエンジンを始動させる元の
0003164292.tif 000003
給を遮断する無線信号出力装置を備えた事を特徴とする。本考案の第一の車輌盗難防止装置によれば、車輌の所有者がこの車輌から離れる場合に無線信号出力装置によって電力の供給を遮断しておけば当該車輌の盗難を企む者によってエンジンをスタートさせようとしてもセルスターターモーターが回らない為車輌を動かす事が出来ず車輌の盗難が確実に防止される。一方その車輌の所有者はエンジンスタートさせる場合には上記無線信号出力装置によって解除（接続）すればよい。
【考案の効果】
【０００５】この考案によって車輌内機器等の電源を遮断して車輌の盗難から守る効果がある。
【図面の簡単な説明】
【０００６】
【図１】は（１）バッテリー（５）無線オン／オフ発信機までの配線全体図であり通常車輌運転時の通電状態の図である。
【図２】は（５）無線オン／オフ発信機を作動させスイッチをオフにすると（３）無線受信マグネットスイッチオン／オフがオフになり（２）オン／オフスイッチがオフとなる。こ
0003164292.tif 000004示した配線図である。
【考案を実施するための形態】
【０００７】本考案はオン／オフスイッチと無線受信マグネットオン／オフスイッチを設けこれ等
0003164292.tif 000005
防止するものである。
【実施例】
【０００８】以下本考案の実施例について添付図面に従って説明する。
図１は本装置の全体図で車輌使用時の全スイッチの通電構成図である。
図２は（５）無線オン／オフ発信機をオフ発信して（３）無線受信マグネットオン／オフスイッチをオフとし（２）オン／オフスイッチを接続から解除（遮断）して（１）バッテリー
0003164292.tif 000006
気機器の電源を遮断して車輌の盗難を防止する為に開発された車輌の盗難防止装置である。
【符号の説明】
【０００９】１‥‥バッテリー
２‥‥オン／オフスイッチ
３‥‥無線受信マグネットオン／オフスイッチ
0003164292.tif 000007
５‥‥無線オン／オフ発信機。
【図１】
0003164292.tif 000009
【図２】
0003164292.tif 000010
【手続補正書】
【提出日】平成22年7月9日(2010.7.9)
【手続補正２】
【補正対象書類名】実用新案登録請求の範囲
【補正対象項目名】全文
【補正方法】変更
【補正の内容】
【実用新案登録請求の範囲】
【請求項１】
エンジンを始動させるバッテリーと本体ボデーア−ス接続間に、無線信号を出力とする電源遮断装置を設け駆動状態と非駆動状態を切り替える事を特徴とする車輌盗難防止装置。
【手続補正３】
【補正対象書類名】明細書
【補正対象項目名】全文
【補正方法】変更
【補正の内容】
【考案の詳細な説明】
【技術分野】
【０００１】本考案はオン／オフスイッチ及び無線マグネットスイッチを設け作動させ全ての電力の供給を遮断して車輌の盗難防止に関するものである。
【背景技術】
【０００２】車輌はバッテリーによりセルスターターモーター及びエンジンを始動させ運行を可能にしている。
【考案の概要】
【考案が解決しようとする課題】
【０００３】車輌の盗難を低コストで実現できるこの盗難防止装置によって防止しようとするものでありこれを提供する。
【課題を解決するための手段】
【０００４】本考案の車輌盗難防止装置はセルスターターモーター及びエンジンを始動させる元のバッテリーと車輌本体ボデーアース接続部の間に無線信号出力装置を設け電力供給を遮断する無線信号出力装置を備えた事を特徴ととする。本考案の第一の車輌盗難防止装置によれば、車輌の所有者がこの車輌から離れる場合に無線信号出力装置によって電力の供給を遮断しておけば当該車輌の盗難を企む者によってエンジンをスタートさせようとしてもセルスターターモーターが回らない為車輌を動かす事が出来ず車輌の盗難が確実に防止される。一方その車輌の所有者はエンジンスタートさせる場合には上記無線信号出力装置によって解除（接続）すればよい。
【考案の効果】
【０００５】この考案によって車輌内機器等の電源を遮断して車輌の盗難から守る効果がある。
【図面の簡単な説明】
【０００６】
【図１】は（１）バッテリー（５）無線オン／オフ発信機までの配線全体図であり通常車輌運転時の通電状態の図である。
【図２】は（５）無線オン／オフ発信機を作動させスイッチをオフにすると（３）無線受信マグネットスイッチオン／オフがオフになり（２）オン／オフスイッチがオフとなる。これで（１）バッテリーと（４）車輌本体ボデーアース接続部が遮断状態になるところを示した配線図である。
【考案を実施するための形態】
【０００７】本考案は（２）オン／オフスイッチと（３）無線受信マグネットオン／オフスイッチを設けこれ等を作動させ（１）バッテリーと（４）車輌本体ボデーアース接続部間を遮断して車輌の盗難を防止するものである。
【実施例】
【０００８】以下本考案の実施例について添付図面に従って説明する。図１は本装置の全体図で車輌使用時の全スイッチの通電構成図である。図２は（５）無線オン／オフ発信機をオフ発信して（３）無線受信マグネットオン／オフスイッチをオフとし（２）オン／オフスイッチを接続から解除（遮断）して（１）バッテリーと（４）車輌本体ボデーアース接続部間を遮断した図である。この様にして車輌内電気機器の電源を遮断して車輌の盗難を防止する為に開発された車輌の盗難防止装置である。
【符号の説明】
【０００９】１‥‥バッテリー２‥‥オン／オフスイッチ３‥‥無線受信マグネットオン／オフスイッチ４‥‥車輌本体ボデーアース接続部５‥‥無線オン／オフ発信機。
【手続補正書】
【提出日】平成22年9月6日(2010.9.6)
【手続補正１】
【補正対象書類名】実用新案登録請求の範囲
【補正対象項目名】請求項１
【補正方法】変更
【補正の内容】
【請求項１】
エンジンを始動させるバッテリーと本体ボデーア−ス接続間に、電源遮断装置を設け、電源遮断装置は無線オン／オフ発信機からの無線信号により駆動状態と非駆動状態を切り替える事を特徴とする車輌盗難防止装置。